(57)【要約】      （修正有）【課題】アウターシューズとインナーシューズ、アウトソールを接着しなくても、組み合わせてたり、取り外したりすることができるように着脱ができるような形で構成しながらも、組み立てた状態で堅固と安定的な着用感を提供できるスナップフィットシューズを提供する。【解決手段】スナップフィットシューズ１００は着用者の足を包み込む形のインナーシューズ１１０と、上記のインナーシューズの足甲、かかと、および足指の部分を一定部分取り囲み、上記のインナーシューズの内部に挿入して固定するアウターシューズ１３０と、上記のインナーシューズの底面と上記のアウターシューズの内部の底面の間に内在されて着用者の荷重を耐えるアウトソール１２０を含むことができる。【選択図】図２
2019155079.tif 000002
【特許請求の範囲】
【請求項１】
シューズにおいて、
着用者の足を包み込む形のインナーシューズ；
上記のインナーシューズの足甲、かかと、および足指の部分を一定部分取り囲み、上記のインナーシューズを内部に挿入して固定するアウターシューズ；および
上記のインナーシューズの底面と上記のアウターシューズの内部の底面の間に内在されて着用者の加重を耐えるアウトソールを含むスナップフィットシューズ。
【請求項２】
上記のインナーシューズ、上記のアウターシューズ、および上記のアウトソールの中で少なくとも一つは一体型からなる、請求項１に記載のスナップフィットシューズ。
【請求項３】
上記のインナーシューズ、上記のアウターシューズ、およびアウトソールは伸縮性を有する天然ゴム、合成ゴム、合成樹脂、革、および織物の中で少なくとも一つの材質からなる、請求項１に記載のスナップフィットシューズ。
【請求項４】
上記のインナーシューズはインナーシューズのボディー、
上記のアウターシューズとの結合のために着用者の足甲の部分に形成される足甲結合用の溝；
上記のアウターシューズとの結合のために着用者のかかと部分に形成されるかかと結合用の溝；
上記のアウターシューズとの結合のために着用者の足指の部分を囲む形で形成される足指結合部；
上記のアウトソールの結合のために底面に形成されるアウトソール結合用の溝；および
上記のアウターシューズの内部の底面に挿入されるように形成されたアウターシューズ結合用の突起を含む、請求項１に記載のスナップフィットシューズ。
【請求項５】
上記のアウターシューズはアウターシューズのボディー；
上記のインナーシューズの足甲結合用の溝に挿入される構造の足甲結合バンド；
上記のインナーシューズのかかと結合用の溝に挿入される構造のかかと結合バンド；
上記のインナーシューズの足指結合部を取り囲むように結合される足指保護帯；
上記のアウトソールを耐えるアウトソール結合バンド；および
上記のインナーシューズのアウターシューズ結合用の突起が挿入されて固定されるインナーシューズ結合用の底溝を含む、請求項４に記載のスナップフィットシューズ。
【請求項６】
上記の足指保護帯は、親足指から小足指を囲む形からなる、請求項５に記載のスナップフィットシューズ。
【請求項７】
上記のアウトソールはアウトソールのボディー；
上記のインナーシューズのアウトソール結合用の溝に結合されるインナーシューズ結合用の上部溝；
上記のアウターシューズのアウトソール結合バンドが形成されていない領域を通じて地面に接触される底面部；および
上記のアウターシューズのアウトソール結合バンドが挿入されるアウターシューズ結合用の溝を含む、請求項５に記載のスナップフィットシューズ。
【請求項８】
上記のアウトソールのボディーは着用者の荷重が及ぶ足裏面の形からなる、請求項７に記載のスナップフィットシューズ。
【請求項９】
上記のインナーシューズの足指の外側面と上記のアウターシューズの足指の内側面の間に保護部材をさらに含む、請求項１に記載のスナップフィットシューズ。
【請求項１０】
上記のスナップフィットシューズはサンダル、スリッパ、運動靴、長靴、および靴の中で一つである、請求項１に記載のスナップフィットシューズ。
【請求項１１】
上記のアウターシューズの高さが上記のインナーシューズの高さより高く形成されたり、
上記のインナーシューズの高さが上記のアウターシューズの高さより高く形成される、請求項１に記載のスナップフィットシューズ。
【発明の詳細な説明】
【技術分野】
【０００１】
本発明はアウターシューズとインナーシューズ、アウトソールを接着しなくても、組み合わせてたり、取り外したりすることができるように着脱ができるような形で構成しながらも、組み立てた状態で堅固と安定的な着用感を提供することができるスナップフィットシューズに関するものである。
【背景技術】
【０００２】
人が二足歩行をしながら、足を保護するために用いられてきたシューズは科学技術の発展とともに新しい素材が開発されて、今日では家庭用、歩行用、マウンテン用、身体矯正用、特殊運動用など多様な活動に適合するようにさまざまなシューズが作られている。
【０００３】
図１は従来のシューズの構造に関する分解斜視図を示したものである。図１を参考にすれば、従来のシューズは一般的に靴底（アウトソール）１０、ミッドソール２０、および甲革３０を含む。アウトソール１０はシューズの着用者が歩行する際に底の部分が地面に着地される部分であって、滑り止めおよび耐摩耗性、地面との着地力の向上のためゴム材質からなるのが一般的である。このようなアウトソール１０は底面が下に膨らんでいるか平らな構造からなることもあり、側面に貫通された通穴または通穴の内部の空間にクッション突起が形成されることもできる。ミッドソール２０は天然ゴムや合成ゴムまたはポリウレタンフォームやポリプロピレンなどの合成樹脂からなってアウトソール１０の上部に結合されて、歩行中に足の裏に加わる衝撃を吸収するクッションの役割をする。甲革３０はミッドソール２０の上部に着用者の足を覆うように形成されて、甲革３０の内部には着用者の足の裏に接触される中敷き（インソール）３５が形成される。中敷き３５はミッドソール２０の上部面をカバーするように積層されて、ミッドソール２０と中敷き３５の上部は通常甲革３０によりカバーされる。
【０００４】
このようなシューズは一般的に製造過程でアウトソール１０とミッドソール２０またはアウトソール１０と甲革３０を接着剤で接着する工程が必要である。シューズの接着に用いられる接着剤は一般的に有機溶剤を溶媒に用いるが、接着剤の塗布工程で接着剤により発生する有毒性の匂いによって接着工程が難しく、有毒性の物質により環境問題を発生するだけではなく、接着の作業をする人力の人件費や製作時間が増加する問題点がある。
【０００５】
この際、接着工程で用いられる接着剤を加熱する方式としては、熱風加熱方式と誘導加熱方式で区分することができる。しかし、熱風加熱方式は接着剤を塗布した後に材質の全般部に高温のエネルギーを加えるため、材質の損傷を招き易く、誘導加熱方式は誘導電流を用いて接着部位に熱が発生する方式として必須的に金属成形金型または金属板が備えなければならないため、製造費用が増加するだけでなく、多様な形態の製品成形が不可能な問題点があった。特に、シューズに用いられる接着剤は時間の経過に応じて接着力が低下したり、損傷が発生することができ、これにより、シューズの着用および使用に不快感をもたらすことになる。
【０００６】
このような問題点を解決するために、従来にはアウトソールやインソールを甲革と分離できるスナップフィットシューズが開示されることもあった。例えば、公開特許公報第１０−２０１０−００５０２７３号（交替可能なインソールを有するサンダル）はサンダルのインソールを交替することができるように構成することで、サンダルの使用寿命を延長させるようにする。また、公開特許公報第１０−２０１０−００５０２７４号（機能性アウトソールを備えたスナップフィットシューズ）はアウトソールと甲革の向かい合う両面にお互いに組み立てができるようにすくなくとも一対の組立手段を備える。そして、登録特許公報第１０−１０５４６２２号（組立シューズ）は底に突出された複数個の結合突起が形成されたアウトソールと結合突起に選択的に挟ませる連結孔が形成された甲革が着脱可能なように構成されている。
【０００７】
しかし、このような従来の技術は甲革とインソールまたは甲革とアウトソールを簡単に分離したり、結合することができる構造に焦点を置いている。その結果、甲革からインソールやアウトソールが容易に分離されるため、シューズを着用した状態で活動するのに不便さがある。特に、従来の技術は甲革とアウトソール、または甲革とミッドソールが容易に分離されるように一部の領域に突起な組立片を形成するので、着用者が望まない状況で甲革がインソールやアウトソールを分離される問題が発生することができる。
【先行技術文献】
【特許文献】
【０００８】
【特許文献１】韓国公開特許第１０−２０１０−００５０２７３号公報
【特許文献２】韓国公開特許第１０−２０１０−００５０２７４号公報
【特許文献３】韓国登録特許第１０−１０５４６２２号公報
【発明の概要】
【発明が解決しようとする課題】
【０００９】
本発明は上記のような問題点を解決するためのものであって、アウターシューズとインナーシューズ、アウトソールを接着しなくても、組み立てたり分離できるように着脱可能な形で構成されながら、組み立て状態で堅固と安定的な着用感を提供することができるスナップフィットシューズを提供するのにその目的がある。
【課題を解決するための手段】
【００１０】
上記のような問題点を解決するために、本発明のスナップフィットシューズは着用者の足を包み込む形のインナーシューズと、上記のインナーシューズの足甲、かかと、及び足指の部分を一定部分取り囲み、上記のインナーシューズを内部に挿入して固定するアウターシューズと、上記のインナーシューズの外部の底面と上記のアウターシューズの内部の底面の間に内在されて着用者の荷重を耐えるアウトソールを含むことができる。
【００１１】
上記のインナーシューズ、上記のアウターシューズ、および上記のアウトソールの中で少なくとも一つは一体型からなることができる。
【００１２】
上記のインナーシューズ、上記のアウターシューズ、およびアウトソールは伸縮性を有する天然ゴム、合成ゴム、合成樹脂、革、および織物の中で少なくとも一つからなることができる。
【００１３】
上記のインナーシューズはインナーシューズのボディー、上記のアウターシューズとの結合のために着用者の足甲の部分に形成される足甲結合用の溝と、上記のアウターシューズとの結合のために着用者のかかと部分に形成されるかかと結合用の溝と、上記のアウターシューズとの結合のために着用者の足指の部分を囲む形で形成される足指結合部と、上記のアウトソールの結合のために底面に形成されるアウトソール結合用の溝と、上記のアウターシューズの内部の底面に挿入されるように形成されたアウターシューズ結合用の突起を含むことができる。
【００１４】
上記のアウターシューズはアウターシューズのボディーと、上記のインナーシューズの足甲結合用の溝に挿入される構造の足甲結合バンドと、上記のインナーシューズのかかと結合用の溝に挿入される構造のかかと結合バンドと、上記のインナーシューズの足指結合部を取り囲むように結合される足指保護帯と、上記のアウトソールを耐えるアウトソール結合バンドと、上記のインナーシューズのアウターシューズ結合用の突起が挿入されて固定されるインナーシューズ結合用の底溝を含むことができる。
【００１５】
上記の足指保護帯は、親足指から小足指を囲む形からなることができる。
【００１６】
上記のアウトソールはアウトソールのボディーと、上記のインナーシューズのアウトソール結合用の溝に結合されるインナーシューズ結合用の上部溝と、上記のアウターシューズのアウトソール結合バンドが形成されていない領域を通じて地面に接触される底面部と、上記のアウターシューズのアウトソール結合バンドが挿入されるアウターシューズ結合用の溝を含むことができる。
【００１７】
上記のアウトソールのボディーは着用者の荷重が及ぶ足裏面の形からなることができる。
【００１８】
上記のスナップフィットシューズは上記のインナーシューズの足指の外側面と上記のアウターシューズの足指の内側面の間に保護部材をさらに含むことができる。
【００１９】
上記のスナップフィットシューズはサンダル、スリッパ、運動靴、長靴、および靴の中で一つであることができる。
【００２０】
上記のスナップフィットシューズはアウターシューズの高さが上記のインナーシューズの高さより高く形成されたり、上記のインナーシューズの高さが上記のアウターシューズの高さより高く形成されることができる。
【発明の効果】
【００２１】
本発明の実施例によるスナップフィットシューズはアウターシューズとインナーシューズ、アウトソールが分離できるように着脱可能な構造で構成されながら、組み立て状態では着用者に堅固と安定的な着用感を提供する効果がある。
【図面の簡単な説明】
【００２２】
【図１】図１は従来のシューズに関する分解斜視図である。
【図２】図２は本発明の実施例によるスナップフィットシューズの分解斜視図である。
【図３】図３は本発明の実施例によるスナップフィットシューズの結合斜視図である。
【図４】図４は本発明の実施例によるスナップフィットシューズのインナーシューズの斜視図である。
【図５】図５は本発明の実施例によるスナップフィットシューズのアウトソールの斜視図である。
【図６】図６は本発明の実施例によるスナップフィットシューズのアウターシューズの斜視図である。
【図７】図７は本発明の実施例によるスナップフィットシューズの底面の斜視図である。
【図８】図８は本発明の実施例であるスナップフィットシューズにおいて、インナーシューズとアウターシューズの間に保護部材が結合される場合の分解斜視図である。
【図９】図９は本発明の他の実施例によるスナップフィットシューズの結合斜視図である。
【図１０】図１０は本発明のまたの他の実施例によるスナップフィットシューズの結合斜視図である。
【発明を実施するための形態】
【００２３】
ここで用いられる専門用語は、単に特定の実施例に言及するためのものであり、本発明を限定することを意図していない。ここで用いられる単数形は、フレーズがこれと明らかに反対の意味を示さない限り、複数形も含む。明細書で用いられる「含む」の意味は、特定の性格、領域、整数、段階、動作、要素、および／または成分を具体化し、その他の特定の性格や、領域、整数、段階、動作、要素、成分及び／または群の存在や付加を除外するものではない。別の方法で定義していないが、ここで用いられる技術用語及び科学用語を含むすべての用語は、本発明が属する技術分野で通常の知識を有する者が一般的に理解する意味と同一な意味を有する。通常用いられる辞書に定義された用語は、関連技術文献と現在開示された内容に適合する意味を有するものと追加解釈され、定義されていない限り、理想的であるか、非常に正式な意味で解釈されない。
【００２４】
以下、添付した図面によって本発明の望ましい実施例を詳細に説明する。
【００２５】
図２は、本発明の実施例によるスナップフィットシューズの分解斜視図である。
【００２６】
図２を参考にすれば、本発明のスナップフィットシューズ１００は、インナーシューズ１１０、アウトソール１２０、およびアウターシューズ１３０からなる。
【００２７】
インナーシューズ１１０は、アウターシューズ１３０の内部に挿入される部分であり、着用者の足を保護するために、着用者の足を覆う形で構成される。足甲の部分は、楔状骨または足舟状骨の部分まで囲むように形成されて、着用者の足を保護し、足底部分は、着用者の足の底面部分を支えるように形成される。インナーシューズ１１０は、外部の衝撃や緊急時にアウターシューズが離脱される場合でも、着用者の足を保護することができるよう、密閉構造で形成されることが望ましい。足甲の外側面と足裏の底面は、アウターシューズ１３０の内部に結合されるように結合用の溝が形成されることができる。
【００２８】
アウトソール１２０は、インナーシューズ１１０の底部とアウターシューズ１３０の底の間に挿入されて、着用者が歩行をしたり、活動をする際に地面に対するクッションを提供するために、着用者の足裏の部分に位置する。アウトソール１２０の上部面は、インナーシューズ１１０の底面と組み合わせることができるように溝が形成され、アウトソール１２０の下部面は、アウターシューズ１３０の底部の中の一部に結合することができるように溝が形成されることができる。
【００２９】
アウターシューズ１３０は、内部底面の中で、着用者の足裏が位置する部分にアウトソール１２０が挿入されることができるアウトソール用の溝が形成され、アウトソール用の溝の側面には、インナーシューズ１１０の底面と組み合わせることができるインナーシューズ用の溝が形成される。アウターシューズ１３０の内部の上部面はインナーシューズ１１０の挿入された状態で固定されるように結合バンドが形成される。インナーシューズ１１０を固定するための結合バンドは、足甲の部分とかかと部分に延長されて一体型になることができる。
【００３０】
本発明のスナップフィットシューズ１００は、アウターシューズ１３０の内部の底面に形成されたアウトソール用の溝に挿入されるようにアウトソール１２０を結合し、インナーシューズ１１０をアウトソール１２０の上部に位置するようにアウターシューズ１３０の内部に挿入して固定することができる。本発明のスナップフィットシューズ１００を構成するインナーシューズ１１０、アウトソール１２０、及びアウターシューズ１３０は、天然ゴムや合成ゴム、またはポリウレタンフォームやポリプロピレンなどの合成樹脂のように伸縮性を有する材質からなることができる。例えば、非毒性であり、耐化学性に優れ、絶縁性に優れたポリエチレン（ＰＥ）、耐光性、耐薬品性に優れ、電気絶縁性に優れたポリ塩化ビニル（ｐｏｌｙｖｉｎｙｌ  ｃｈｌｏｒｉｄｅ；  ＰＶＣ）非粘着性であり、非油性及び高い絶縁性を有する熱可塑性ゴム、耐寒性、および酸やアルカリ成分に強いＴＰＲ（Ｔｈｅｒｍｏｐｌａｓｔｉｃ  Ｒｕｂｂｅｒ）、耐熱性に優れ、低温でも柔軟性に優れたＳＢＳ（Ｓｔｙｒｅｎｅ  ｂｕｔａｄｉｅｎｅ  ｓｔｙｒｅｎｅ）、ＳＥＢＳ（Ｓｔｙｒｅｎｅ  ｅｔｈｙｌｅｎｅ  ｂｕｔｙｌｅｎｅ  ｓｔｙｒｅｎｅ）またはＥＰＤＭ（Ｅｔｈｙｌｅｎｅ  ｐｒｏｐｙｌｅｎｅ  ｄｉｅｎｅ  Ｍ−ｃｌａｓｓ）からなることができる。このほかに、ＳＥＰＳ、ＳＥＥＢＳ、ＳＥＥＰＳ、ＥＶＡ、ＴＰＵ、ＰＵ、ＰＳ、ＰＰ、ＴＰＯ、ＴＰＶなどのゴムや発泡樹脂からなることもできる。そのほか、アウターシューズ１３０の内部に着脱が可能なように一定の厚さの革やゴアテックスのような織物で構成されることもできる。つまり、インナーシューズ１１０は、アウターシューズ１３０の入口を介して内部に挿入され固定されることができるよう、伸縮性や弾力性を有する材料であればすべて用いることができるだろう。
【００３１】
したがって、本発明のスナップフィットシューズ１００は、アウターシューズ１３０の内部方向に一定の力を加えることによりアウトソール１２０とインナーシューズ１１０を挿入して固定させたり、分離することができる。この際、本発明のスナップフィットシューズ１００は、インナーシューズ１１０、アウトソール１２０、およびアウターシューズ１３０を組み立てることにより、完成することができるが、インナーシューズ１１０とアウトソール１２０、およびアウターシューズ１３０は、個別の構成部品として、それぞれ一体型になることが好ましい。
【００３２】
アウターシューズ１３０の内部にアウトソール１２０とインナーシューズ１１０を挿入して結合した状態のスナップフィットシューズ１００を図３に示した。
【００３３】
図３を参考にすれば、本発明のスナップフィットシューズ１００は、アウターシューズ１３０とインナーシューズ１１０が結合された状態で、全体的に一つのシューズの外形を形成する。つまり、インナーシューズ１１０の上部面と側面に沿ってかかと部分まで延長される溝にアウターシューズ１３０の結合バンドが挿入されることにより、平らな流線型のシューズの外形を形成することになる。また、アウターシューズ１３０の前の部分には、着用者の足指を保護するために、インナーシューズ１１０を取り囲む形で結合されるので、着用者の足指部分はインナーシューズ１１０とアウターシューズ１３０による二重保護が行われる。また、着用者の足甲からかかとまで続く一体型の結合バンドと足指部分に形成された保護帯によってインナーシューズ１１０は、アウターシューズ１３０の内部に安定的に結合することができる。
【００３４】
図面に表示されていないが、アウトソール１２０は、インナーシューズ１１０の底面とアウターシューズ１３０の底面の間に挿入されて、着用者に歩行や活動の過程にクッション機能と及び着用感を提供する役割をする。
【００３５】
インナーシューズ１１０は、一体型で形成されてアウターシューズ１３０の内部に挿入されるので、着用者の足は、インナーシューズ１１０によって囲む形で保護される。
【００３６】
したがって、エスカレーターにシューズが挟まれる場合のように緊急事態が発生した場合に、着用者は、インナーシューズ１１０をアウターシューズ１３０から分離することにより、足の損傷の危険性を防ぐことができる。
【００３７】
以下では、本発明のスナップフィットシューズ１００を構成するインナーシューズ１１０、アウトソール１２０、およびアウターシューズ１３０の詳細な構成をより詳しくみることにする。
【００３８】
図４は、本発明の実施例によるスナップフィットシューズのインナーシューズ斜視図である。
【００３９】
図４を参考にすれば、本発明のスナップフィットシューズ１００のインナーシューズ１１０は、インナーシューズのボディー１１１、足甲結合用の溝１１２、かかと結合用の溝１１３、足指結合部１１４、アウトソール結合用の溝１１５、およびアウターシューズ結合用の突起１１６からなることができる。
【００４０】
インナーシューズのボディー１１１は、伸縮性を有する材質からなり、着用者の足を取り囲むことができる一体型の構造で構成される。
【００４１】
足甲結合用の溝１１２は、インナーシューズのボディー１１１の足甲の部分の上部面にアウターシューズ１３０の足甲結合バンドが挿入されるように、足甲結合バンドと同じ構造の凹溝からなる。
【００４２】
かかと結合用の溝１１３は、足甲結合用の溝１１２から延長されてかかと部分の外側面にアウターシューズ１３０のかかと結合バンドが挿入されるようにかかと結合バンドと同一または類似の厚さの凹溝からなる。
【００４３】
足指結合部１１４は、インナーシューズのボディー１１１の着用者の足指部分を囲む部分にアウターシューズ１１３の足指保護帯が外側に結合されるように一定の厚さの深さにで掘られた溝に形成される。アウターシューズ１３０の足甲結合バンドとかかと結合バンド、足指保護帯の厚さは、インナーシューズ１１０の足甲結合用の溝１１２、かかと結合用の溝１１３、および足指結合部１１４を構成するする凹溝の厚さと同じか、同様に形成されるので、インナーシューズ１１０がアウターシューズ１３０の内部に挿入されて結合される場合には、全体の外観が流線型のシューズの外形を有するようになる。
【００４４】
アウトソール結合用の溝１１５は、底の部分にアウトソール１２０が結合されるようにアウトソール１２０の外観及び厚さに対応する形からなる凹溝で構成されている。したがって、アウトソール１２０は、インナーシューズの底の部分に挿入された状態で、インナーシューズ１１０と一緒にアウターシューズ１３０の内部に結合される。この際、アウトソール１２０は、インナーシューズ１１０のアウトソール結合用の溝１１５の内に結合された状態で、インナーシューズ１１０と一緒にアウターシューズ１３０の内部の底面に挿入され固定されるようにアウターシューズ１３０の底の固定用の溝を含むことができる。
【００４５】
アウターシューズ結合用の突起１１６は、インナーシューズのボディー１１１の底面の外郭に沿って形成され、インナーシューズ１１０がアウターシューズ１３０の底面に挿入され固定されるように、複数の突起からなる。したがって、インナーシューズ１１０は、底面にアウトソール１２０が結合された状態でアウターシューズ１３０の内部の底面に固定されるので、本発明のスナップフィットシューズ１００を着用した状態で歩行や活動をする場合には、インナーシューズ１１０がアウターシューズ１３０から容易に分離されず、安定的な作業が可能である。一方、本発明のスナップフィットシューズ１００の構成要素を交換する場合、またはエスカレーターのような機械の間に挟まれる場合には、着用者が一定の力を加えて、インナーシューズ１１０をアウターシューズ１３０から分離することもでき、足指のような部位が重いものに押されたり、火災が発生した場合でも、インナーシューズ１１０をアウターシューズ１３０から分離することができるので、安全事故を効果的に防ぐことができる。
【００４６】
図５は、本発明の実施例によるスナップフィットシューズのアウトソールの斜視図である。
【００４７】
図５を参考にすれば、本発明のスナップフィットシューズ１００のアウトソール１２０は、アウトソールのボディー１２１、インナーシューズ結合用の上部の溝（図示されていない）、底面部１２２、およびアウターシューズ結合用の溝１２３を含むことができる。
【００４８】
アウトソールのボディー１２１は、着用者が歩行や活動する過程で荷重が及ぼす部分にクッション機能を提供できるように伸縮性を有する材質からなり、着用者の足裏面の形からなることが望ましい。
【００４９】
図面に図示されてはいないが、アウトソールのボディー１２１の上部面にはインナーシューズ１１０の底部に形成されたアウトソール結合用の溝１１５に噛み合って結合されるように、インナーシューズ結合用の上部溝が形成される。
【００５０】
底面部１２２は、アウトソールのボディー１２１の底面から突出されて地盤に接触するように形成され部分である。アウターシューズ１３０の底面にはアウトソール１２０が結合されることができる構造からなり、底面部１２２が貫通されることができる溝を含むので、アウトソール１２０がアウターシューズ１３０の内部の床面に結合されても底面部１２２は、アウターシューズ１３０の底面を貫通して地面と接触されるように構成される。
【００５１】
アウターシューズ結合用の溝１２３は、アウトソールのボディー１２１から下部方向に突出された底面部１２２以外の部分に形成された凹溝であって、アウターシューズ１３０の底面に形成された底のバンドに結合される凹溝部分である。したがって、アウトソール１２０は、上部がインナーシューズ１１０の底面に結合され、下部がアウターシューズ１３０の内部の底面に結合される。
【００５２】
図６は、本発明の実施例によるスナップフィットシューズのアウターシューズの斜視図である。
【００５３】
図６を参考にすれば、本発明のスナップフィットシューズ１００のアウターシューズ１３０は、アウターシューズのボディー１３１、足甲結合バンド１３２、かかと結合バンド１３３、足指保護帯１３４、アウトソール結合バンド１３５、およびインナーシューズ結合用の底溝１３６からなることができる。
【００５４】
アウターシューズのボディー１３１は、アウターシューズ１３０を構成する骨組みとなる部分であって、伸縮性を有する材質からなる足甲結合バンド１３２、かかと結合バンド１３３、足指保護帯１３４、アウトソール結合バンド１３５、およびインナーシューズ結合用の底溝１３６を連結する。
【００５５】
足甲結合バンド１３２は、着用者の足甲の部分を覆うように形成されたバンドであって、インナーシューズ１１０の足甲結合用の溝１１２に挿入することができる幅と厚さを有する。したがって、足甲結合バンド１３２がインナーシューズ１１０の足甲結合用の溝１１２に挿入される場合には、外面が滑らかな流線型を示すことになる。
【００５６】
かかと結合バンド１３３は、足甲結合バンド１３２とつながって着用者のかかと部分を取り囲むように形成されたバンドであって、インナーシューズ１１０のかかと結合用の溝１２３に挿入することができる幅と厚さになる。したがって、かかと結合バンド１３３がインナーシューズ１１０のかかと結合用の溝１１３に挿入される場合には、外面が滑らかな流線型を示すことになる。
【００５７】
足指保護帯１３４は、足甲結合バンド１３２とかかと結合バンド１３３とつながって着用者の足指部分を取り囲むように形成された部分である。着用者の足指部分を保護するために、親足指から小足指をすべて覆う形からなることが望ましい。足指保護帯１３４は、インナーシューズ１１０の足指結合部１１４を覆う構造からなるので、足指保護帯１３４の形態と厚さは、インナーシューズ１１０の足指結合部１１４を構成する凹溝の形態と深さに対応するように構成される。
【００５８】
アウトソール結合バンド１３５は、アウターシューズ１３０の底面にアウトソール１２０が安着されるようにアウトソール１２０を支える構造からなる。この際、アウトソール１２０の底面部１２２がアウトソール結合バンド１３５を通過して地面に接触することができるようにアウトソール結合バンド１３５は、アウトソール120の底面部１２２と重複しない領域に形成されるものである。したがって、アウトソール結合バンド１３５は、アウトソール１２０の下部の中で底面部１２２を除いた残りの領域を支持しつつ、アウトソール１２０のアウターシューズ結合用の溝１２３に挿入され結合される。
【００５９】
一方、アウターシューズ１３０の底面には、外枠に沿ってインナーシューズ結合用の底溝１３６が形成されることがあるが、インナーシューズ結合用の底溝１３６は、インナーシューズ１１０のアウターシューズ結合用の突起１１６が挿入されることができる構造からなる。本発明のスナップフィットシューズ１００は、アウターシューズ１３０のインナーシューズ結合用の底溝１３６とインナーシューズ１１０のアウターシューズ結合用の突起１１６が結合されることにより、インナーシューズ１１０とアウターシューズ１３０が密着固定されることができる。
【００６０】
図７は、本発明の実施例によるスナップフィットシューズの底面の斜視図である。
【００６１】
図７を参考にすれば、本発明のスナップフィットシューズ１００は、着用者の足を包み込む形の一体形の構造のインナーシューズ１１０と、インナーシューズ１１０の足甲、かかと、および足指部分を一定の形で取り囲んでインナーシューズ１１０を内部に挿入して固定するアウターシューズ１３０、およびインナーシューズ１１０の底部とアウターシューズ１３０の底の間に内在されて、着用者の荷重を耐えるアウトソール１２０を含む構造からなる。
【００６２】
特に、アウトソール１２０は、上部がインナーシューズ１１０の底面に挿入され、下部はアウターシューズ１３０の内部の底面に挿入されるので、インナーシューズ１１０とアウターシューズ１３０との間で圧着固定される構造で構成され、アウトソール１２０の底面部１２２は、アウターシューズ１３０の底に形成された溝を介して地面に接触することができるように形成される。
【００６３】
したがって、本発明のスナップフィットシューズ１００は、インナーシューズ１１０とアウトソール１２０、アウターシューズ１３０を個別に交換または購入することによって、低コストで様々なデザインを実現することができる。また、インナーシューズ１１０とアウトソール１２０、アウターシューズ１３０を組み立ててシューズを構成しても、アウターシューズ１３０の結合バンド１３２、１３３と保護帯１３４によって安定的に結合力を提供するので、着用者が歩行や活動をする過程で容易に分離されたり離脱しない。一方、エスカレーターや機械などにシューズが挟まれたりまたは圧着される場合に、着用者がアウターシューズ１３０からインナーシューズ１１０を分離することができるので、緊急事態の際に着用者の安全を確保することができる効果を得ることができる。
【００６４】
また、本発明のスナップフィットシューズは、インナーシューズ１１０とアウターシューズ１３０との間にユーザーの足指を保護することができる保護部材を含むことにより、着用者の活動の過程で、ユーザーの足指部分に衝撃を加えることができる危険から保護する安全靴の役割も可能である。
【００６５】
図８は、本発明の実施例にスナップフィットシューズにおいて、インナーシューズ１１０とアウターシューズ１３０との間に保護部材が結合された場合の分解斜視図である。
【００６６】
図８を参考にすれば、本発明のスナップフィットシューズを構成するインナーシューズ１１０の足指部分の外側、またはアウターシューズ１３０の足指部分の内側には、外部の衝撃からユーザーの足指を保護するための保護部材１４０が位置することができる。保護部材１４０は、強化プラスチックのように強度の高い合成樹脂で構成されたり、柔軟性のある薄い金属材料からなることもあるだろう。保護部材１４０は、インナーシューズ１１０の外側面に着脱可能な形で取り付けることもでき、インナーシューズ１１０の外側に固定された形で付着されることもあるだろう。または、アウターシューズ１３０の内側面に保護部材１４０が結合される形態で構成されることもあるだろう。
【００６７】
したがって、保護部材１４０が取り付けられたインナーシューズ１１０をアウターシューズ１３０の内部に結合して用いる場合には、着用者は、上から落下する重い物や衝突から足指部分の損傷を防止することができる。
【００６８】
本発明のスナップフィットシューズ１００は、伸縮性を有する材質であれば、天然ゴム、合成ゴム、合成樹脂、革、または織物のいかなる材料でも構成することができる。したがって、サンダル、スリッパ、運動靴、長靴、シューズなどの様々な形のシューズに適用されることができる。
【００６９】
図９は、本発明の他の実施例によるスナップフィットシューズで、長靴に適用された場合を例として示したものである。
【００７０】
図９を参考にすれば、本発明のスナップフィットシューズ１００は、ユーザーの足首まで形成されたアウターシューズ１３０と、その内部に位置するインナーシューズ１１０が結合された状態で、全体的に一つの長靴を形成することができる。この際、インナーシューズ１１０の上部の枠はアウターシューズ１３０と同じ高さに形成することもあるが、アウターシューズ１３０の上部の枠よりも低く形成され、外部から視覚的に認識されない形でアウターシューズ１３０の内部に挿入されることもできる。
【００７１】
このような場合にも、インナーシューズ１１０の足指部分の外側、またはアウターシューズ１３０の足指部分の内側には、外部の衝撃からユーザーの足指を保護するための保護部材１４０が位置することができるだろう。
【００７２】
また、本発明のスナップフィットシューズは、インナーシューズ１１０の高さが足首以上に高く形成され、アウターシューズ１３０がインナーシューズ１１０よりも低い高さで形成することもできる。
【００７３】
図１０は、本発明の他の実施例によるスナップフィットシューズで、インナーシューズがアウターシューズよりも高く形成された場合を例として示したものである。
【００７４】
図１０を参考にすれば、本発明のスナップフィットシューズ１００は、インナーシューズ１１０が、ユーザーの足首以上のふくらはぎの高さまで形成され、アウターシューズ１３０が、ユーザーの桃骨程度の高さに形成することができる。このような構造にスナップフィットシューズ１００を形成する場合には、デュアル構造のシューズとして認識されることがあるので、ユーザに感覚的なファッションを感じるようにすることもでき、第三者に対しては様々なファッションを演出できる効果を発揮することもできる。
【００７５】
以上、添付された図面を参考にして、本発明の実施例を説明したが、本発明が属する技術分野で通常の知識を有する者は、本発明のその技術的な思想や必須の特徴が変更されず、他の具体的な形態で実施されることができるというと理解できるだろう。したがって、以上で記述した実施例は、すべての面で例示的なものであり限定的ではないと理解しなければならない。本発明の範囲は、上記の詳細な説明ではなく、後述する特許請求の範囲によって示され、特許請求の範囲の意味及び範囲そしてその均等概念から導き出されるすべての変更または変形された形態が本発明の範囲に含まれるものと解釈されるべきである。
【符号の説明】
【００７６】
１００：スナップフィットシューズ
１１０：インナーシューズ
１１１：インナーシューズのボディー
１１２：足甲結合用の溝
１１３：かかと結合用の溝
１１４：足指結合部
１１５：アウトソール結合用の溝
１１６：アウターシューズ結合用の突起
１２０：アウトソール
１２１：アウトソールのボディー
１２２：底面部
１２３：アウターシューズ結合用の溝
１３０：アウターシューズ
１３１：アウターシューズのボディー
１３２：足甲結合バンド
１３３：かかと結合バンド
１３４：足指保護帯
１３５：アウトソール結合バンド
１３６：インナーシューズ結合用の底溝
１４０：保護部材
【図１】
2019155079.tif 000003
【図２】
2019155079.tif 000004
【図３】
2019155079.tif 000005
【図４】
2019155079.tif 000006
【図５】
2019155079.tif 000007
【図６】
2019155079.tif 000008
【図７】
2019155079.tif 000009
【図８】
2019155079.tif 000010
【図９】
2019155079.tif 000011
【図１０】
2019155079.tif 000012